(57)【特許請求の範囲】
【請求項１】
データ伝送方法であって、前記方法は、
端末機器がネットワーク機器から送信された第１リソース指示情報を受信し、前記第１リソース指示情報は、少なくとも１つの時間領域リソースユニットにおける、ターゲットチャネルの伝送に用いられる第１周波数領域リソースを指示し、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含むステップと、
前記端末機器が前記ネットワーク機器から送信された第２リソース指示情報を受信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示し、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースであるステップとを含み、
ここで、前記端末機器が前記第１周波数領域リソースに基づいて前記第２周波数領域リソースの位置を推測し、
前記第１周波数領域リソースが搬送波帯域幅の両側の周波数領域リソースであり、前記第１周波数領域リソース内で、前記少なくとも１つの時間領域リソースユニット内で物理下り制御チャネルＰＤＣＣＨの伝送に用いられる符号の数量は固定されたものであり、且つ物理下り共有チャネルＰＤＳＣＨの伝送に用いられる符号の数量も固定されたものであり、あるいは、
前記第１周波数領域リソースが搬送波帯域幅の中心にある周波数領域リソースであり、前記第１周波数領域リソース内で、前記少なくとも１つの時間領域リソースユニット内で物理上りリンク制御チャネルＰＵＣＣＨの伝送に用いられる符号の数量と位置は固定されたものであり、且つ物理上り共有チャネルＰＵＳＣＨの伝送に用いられる符号の数量も固定されたものであることを特徴とするデータ伝送方法。
【請求項２】
前記端末機器が、前記第１周波数領域リソースの複数の周波数領域リソースユニット上で、前記同じ時間領域リソースを使用して、前記ネットワーク機器へ前記ターゲットチャネルを送信するか、又は前記ネットワーク機器から送信された前記ターゲットチャネルを受信し、且つ前記第２周波数領域リソースの複数の周波数領域リソースユニット上で、前記第２リソース指示情報に指示された前記時間領域リソースを使用して、前記ネットワーク機器へ前記ターゲットチャネルを送信するか、又は前記ネットワーク機器から送信された前記ターゲットチャネルを受信するステップをさらに含む、ことを特徴とする請求項１に記載の方法。
【請求項３】
前記端末機器が、前記ネットワーク機器から送信された前記同じ時間領域リソースの情報を受信するステップをさらに含む、ことを特徴とする請求項１又は２に記載の方法。
【請求項４】
前記同じ時間領域リソースの情報は、
端末機器が、前記少なくとも１つの時間領域リソースユニット内で前記ターゲットチャネルの伝送に用いる開始符号、前記少なくとも１つの時間領域リソースユニット内で前記ターゲットチャネルの伝送に用いる符号の数量、前記少なくとも１つの時間領域リソースユニット内で前記ターゲットチャネルの伝送に用いるミニスロット及び前記少なくとも１つの時間領域リソースユニット内で前記ターゲットチャネルの伝送に用いるミニスロットの数量のうち少なくとも１つを含む、ことを特徴とする請求項１〜３のいずれか１項に記載の方法。
【請求項５】
前記同じ時間領域リソースの情報は、前記同じ時間領域リソースの識別子を含み、前記同じ時間領域リソースは予め設定した複数の時間領域リソース内で前記識別子に対応する時間領域リソースである、ことを特徴とする請求項１〜３のいずれか１項に記載の方法。
【請求項６】
前記第１周波数領域リソースは、連続周波数領域リソース又は不連続周波数領域リソースを含む、ことを特徴とする請求項１〜５のいずれか１項に記載の方法。
【請求項７】
前記同じ時間領域リソースは、前記少なくとも１つの時間領域リソースユニットにおけるすべての時間領域リソースである、ことを特徴とする請求項１〜６のいずれか１項に記載の方法。
【請求項８】
前記時間領域リソースユニットは、スロット、ミニスロット及びサブフレームのうちいずれか１つを含む、ことを特徴とする請求項１〜７のいずれか１項に記載の方法。
【請求項９】
前記データチャネルは、
上りリンクデータチャネル、下りリンクデータチャネル及びサイドリンクデータチャネルのうちいずれか１つを含む、ことを特徴とする請求項１〜８のいずれか１項に記載の方法。
【請求項１０】
データ伝送用の端末機器であって、前記端末機器は、
ネットワーク機器から送信された第１リソース指示情報を受信するために用いられ、前記第１リソース指示情報は、少なくとも１つの時間領域リソースユニットにおける、ターゲットチャネルの伝送に用いられる第１周波数領域リソースを指示し、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含む受信ユニットを含み、
前記受信ユニットは、さらに、前記ネットワーク機器から送信された第２リソース指示情報を受信するために用いられ、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示し、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースであり、
ここで、前記端末機器が前記第１周波数領域リソースに基づいて前記第２周波数領域リソースの位置を推測し、
前記第１周波数領域リソースが搬送波帯域幅の両側の周波数領域リソースであり、前記第１周波数領域リソース内で、前記少なくとも１つの時間領域リソースユニット内で物理下り制御チャネルＰＤＣＣＨの伝送に用いられる符号の数量は固定されたものであり、且つ物理下り共有チャネルＰＤＳＣＨの伝送に用いられる符号の数量も固定されたものであり、あるいは、
前記第１周波数領域リソースが搬送波帯域幅の中心にある周波数領域リソースであり、前記第１周波数領域リソース内で、前記少なくとも１つの時間領域リソースユニット内で物理上りリンク制御チャネルＰＵＣＣＨの伝送に用いられる符号の数量と位置は固定されたものであり、且つ物理上り共有チャネルＰＵＳＣＨの伝送に用いられる符号の数量も固定されたものであることを特徴とするデータ伝送用の端末機器。
【請求項１１】
前記端末機器は、送信ユニットをさらに含み、前記送信ユニットは、
前記第１周波数領域リソースの複数の周波数領域リソースユニット上で、前記同じ時間領域リソースを使用して、前記ネットワーク機器へ前記ターゲットチャネルを送信し、且つ前記第２周波数領域リソースの複数の周波数領域リソースユニット上で、前記第２リソース指示情報に指示された時間領域リソースユニットを使用して、前記ネットワーク機器へ前記ターゲットチャネルを送信するために用いられ、
前記受信ユニットは、さらに、前記第１周波数領域リソースの複数の周波数領域リソースユニット上で、前記同じ時間領域リソースを使用して、前記ネットワーク機器から送信された前記ターゲットチャネルを受信し、且つ前記第２周波数領域リソースの複数の周波数領域リソースユニット上で、前記第２リソース指示情報に指示された時間領域リソースユニットを使用して、前記ネットワーク機器から送信された前記ターゲットチャネルを受信するために用いられる、ことを特徴とする請求項１０に記載の端末機器。
【請求項１２】
前記受信ユニットは、さらに、
前記ネットワーク機器から送信された前記同じ時間領域リソースの情報を受信するために用いられる、ことを特徴とする請求項１０又は１１に記載の端末機器。
【請求項１３】
前記同じ時間領域リソースの情報は、
端末機器が、前記少なくとも１つの時間領域リソースユニット内で前記ターゲットチャネルの伝送に用いる開始符号、前記少なくとも１つの時間領域リソースユニット内で前記ターゲットチャネルの伝送に用いる符号の数量、前記少なくとも１つの時間領域リソースユニット内で前記ターゲットチャネルの伝送に用いるミニスロット及び前記少なくとも１つの時間領域リソースユニット内で前記ターゲットチャネルの伝送に用いるミニスロットの数量のうち少なくとも１つを含む、ことを特徴とする請求項１０〜１２のいずれか１項に記載の端末機器。
【請求項１４】
前記同じ時間領域リソースの情報は、前記同じ時間領域リソースの識別子を含み、前記同じ時間領域リソースは予め設定した複数の時間領域リソース内で前記識別子に対応する時間領域リソースである、ことを特徴とする請求項１０〜１２のいずれか１項に記載の端末機器。
【請求項１５】
前記第１周波数領域リソースは、連続周波数領域リソース又は不連続周波数領域リソースを含む、ことを特徴とする請求項１０〜１４のいずれか１項に記載の端末機器。
【請求項１６】
前記同じ時間領域リソースは、前記少なくとも１つの時間領域リソースユニットにおけるすべての時間領域リソースである、ことを特徴とする請求項１０〜１５のいずれか１項に記載の端末機器。
【請求項１７】
前記時間領域リソースユニットは、スロット、ミニスロット及びサブフレームのうちいずれか１つを含む、ことを特徴とする請求項１０〜１６のいずれか１項に記載の端末機器。
【請求項１８】
前記データチャネルは、
上りリンクデータチャネル、下りリンクデータチャネル及びサイドリンクデータチャネルのうちいずれか１つを含む、ことを特徴とする請求項１０〜１７のいずれか１項に記載の端末機器。
【請求項１９】
前記受信ユニットは、具体的には、
ネットワーク機器がシステム情報又は無線リソース制御ＲＲＣ制御シグナリングを介して送信した前記第１リソース指示情報を受信するために用いられる、ことを特徴とする請求項１０〜１８のいずれか１項に記載の端末機器。
【発明の詳細な説明】
【技術分野】
【０００１】
本願の実施例は、無線通信分野に関し、より具体的には、データ伝送方法、端末機器及びネットワーク機器に関する。
【背景技術】
【０００２】
５Ｇニューラジオ（Ｎｅｗ  Ｒａｄｉｏ、略称「ＮＲ」）システムにおいて、スロット（ｓｌｏｔ）、ミニスロット（ｍｉｎｉ−ｓｌｏｔ）のような１つの時間領域スケジューリング単位における一部の符号は制御チャネルの伝送に用いられ、他の一部の符号はデータチャネルの伝送に用いられることができ、且つ１つの時間領域スケジューリング単位における一部の符号は下りチャネルの伝送に用いられ、他の一部の符号は上りチャネルの伝送に用いられることをサポートする。基地局は下り制御情報（Ｄｏｗｎｌｉｎｋ  Ｃｏｎｔｒｏｌ  Ｉｎｆｏｒｍａｔｉｏｎ、略称「ＤＣＩ」）により、１つの時間領域スケジューリング単位における、どの符号を用いて制御チャネルを伝送し、どの符号を用いてデータチャネルを伝送するかを端末に指示する。
【０００３】
したがって、５Ｇ  ＮＲシステムにおいて、ＤＣＩの指示でデータチャネルと制御チャネルの時間領域リソース及び下りチャネルと上りチャネルの時間領域リソースの動的多重化を実現することができ、リソースの利用率の向上に有利で、且つ時間遅延の短縮にも有利である。しかし、このようなリソース構成方法は、基地局と端末機器の複雑さを増加させ、且つ不必要な制御シグナリングのオーバーヘッドを大量引き起こす。
【発明の概要】
【発明が解決しようとする課題】
【０００４】
本願の実施例は、データ伝送方法、端末機器及びネットワーク機器を提供し、リソース構成中に発生する制御シグナリングのオーバーヘッドを低減させ、且つネットワーク機器と端末機器の複雑さを低減させることができる。
【課題を解決するための手段】
【０００５】
第１態様では、データ伝送方法が提供され、前記方法は、端末機器がネットワーク機器から送信された第１リソース指示情報を受信し、前記第１リソース指示情報は、少なくとも１つの時間領域リソースユニットにおける、ターゲットチャネルの伝送に用いられる第１周波数領域リソースを指示し、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含むステップと、前記端末機器が前記ネットワーク機器から送信された第２リソース指示情報を受信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示し、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースであるステップとを含む。
【０００６】
したがって、端末機器は、一部の周波数領域リソースのみでネットワーク機器から送信された、各周波数領域スケジューリング単位上で上り／下りチャネルの伝送に用いられる時間領域リソースをそれぞれ指示するための指示情報を受信し、別の部分の周波数領域リソース範囲内では、端末機器が複数の周波数領域スケジューリング単位上で上り／下りチャネルの伝送に用いる時間領域リソースは予め設定した同じ時間領域リソースである。したがって、端末機器は、周波数領域の全範囲内でネットワーク機器が各周波数領域リソースユニットにおける伝送用のリソースに対してそれぞれ行った指示を受信する必要がなく、それによってリソース構成プロセスにおける不必要な制御シグナリングのオーバーヘッドを低減させ、且つ端末機器の複雑さを低減させる。
【０００７】
第１態様の一実施形態において、前記方法は、さらに、前記端末機器が、前記第１周波数領域リソースの複数の周波数領域リソースユニット上で、前記同じ時間領域リソースを使用して、前記ネットワーク機器へ前記ターゲットチャネルを送信するか、又は前記ネットワーク機器から送信された前記ターゲットチャネルを受信し、且つ前記第２周波数領域リソースの複数の周波数領域リソースユニット上で、前記第２リソース指示情報に指示された時間領域リソースユニットを使用して、前記ネットワーク機器へ前記ターゲットチャネルを送信するか、又は前記ネットワーク機器から送信された前記ターゲットチャネルを受信するステップを含む。
【０００８】
第１態様の一実施形態において、前記方法は、さらに、前記端末機器が、前記ネットワーク機器から送信された前記同じ時間領域リソースの情報を受信するステップを含む。
【０００９】
第１態様の一実施形態において、前記同じ時間領域リソースの情報は、端末機器が、前記少なくとも１つの時間領域リソースユニット内で前記ターゲットチャネルの伝送に用いる開始符号、前記少なくとも１つの時間領域リソースユニット内で前記ターゲットチャネルの伝送に用いる符号の数量、前記少なくとも１つの時間領域リソースユニット内で前記ターゲットチャネルの伝送に用いるミニスロット及び前記少なくとも１つの時間領域リソースユニット内で前記ターゲットチャネルの伝送に用いるミニスロットの数量のうち少なくとも１つを含む。
【００１０】
第１態様の一実施形態において、前記同じ時間領域リソースの情報は、前記同じ時間領域リソースの識別子を含み、前記同じ時間領域リソースは予め設定した複数の時間領域リソース内で前記識別子に対応する時間領域リソースである。
【００１１】
第１態様の一実施形態において、前記第１周波数領域リソースは、連続周波数領域リソース又は不連続周波数領域リソースを含む。
【００１２】
第１態様の一実施形態において、前記同じ時間領域リソースは、前記少なくとも１つの時間領域リソースユニットにおけるすべての時間領域リソースである。
【００１３】
第１態様の一実施形態において、前記時間領域リソースユニットは、スロット、ミニスロット及びサブフレームのうちいずれか１つを含む。
【００１４】
第１態様の一実施形態において、前記データチャネルは、上りリンクデータチャネル、下りリンクデータチャネル及びサイドリンクデータチャネルのうちいずれか１つを含む。
【００１５】
第１態様の一実施形態において、端末機器がネットワーク機器から送信された第１リソース指示情報を受信する前記ステップは、端末機器が、ネットワーク機器がシステム情報又は無線リソース制御ＲＲＣ制御シグナリングを介して送信した前記第１リソース指示情報を受信することを含む。
【００１６】
第２態様では、データ伝送方法が提供され、前記方法は、ネットワーク機器が、チャネル伝送に使用できる周波数領域リソース内で、少なくとも１つの時間領域リソースユニットにおける、ターゲットチャネルの伝送に用いられる第１周波数領域リソースを確定し、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含むステップと、前記ネットワーク機器が、前記端末機器へ前記少なくとも１つの時間領域リソースユニットにおける前記第１周波数領域リソースを指示するための第１リソース指示情報を送信するステップと、前記ネットワーク機器が前記端末機器へ第２リソース指示情報を送信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示するために用いられ、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースであるステップとを含む。
【００１７】
したがって、ネットワーク機器は、一部の周波数領域リソースのみで端末機器へ各周波数領域スケジューリング単位上で伝送上り／下りチャネルに用いられる時間領域リソースをそれぞれ指示し、別の部分の周波数領域リソース範囲内では、端末機器が複数の周波数領域スケジューリング単位上で上り／下りチャネルの伝送に用いる時間領域リソースは予め設定した同じ時間領域リソースである。したがって、ネットワーク機器は、周波数領域の全範囲内で各周波数領域リソースユニットにおける伝送用のリソースをそれぞれ指示する必要がなく、それによってリソース構成プロセスにおける不必要な制御シグナリングのオーバーヘッドを低減させ、且つネットワーク機器の複雑さを低減させる。
【００１８】
第２態様の一実施形態において、前記方法は、さらに、前記ネットワーク機器が、前記第１周波数領域リソースの複数の周波数領域リソースユニット上で、前記同じ時間領域リソースを使用して、前記端末機器へ前記ターゲットチャネルを送信するか、又は前記端末機器から送信された前記ターゲットチャネルを受信し、且つ前記第２周波数領域リソースの複数の周波数領域リソースユニット上で、前記第２リソース指示情報に指示された時間領域リソースユニットを使用して、前記端末機器へ前記ターゲットチャネルを送信するか、又は前記端末機器から送信された前記ターゲットチャネルを受信するステップを含む。
【００１９】
第２態様の一実施形態において、前記方法は、さらに、前記ネットワーク機器が前記端末機器へ送信した前記同じ時間領域リソースの情報を送信するステップを含む。
【００２０】
第２態様の一実施形態において、前記同じ時間領域リソースの情報は、端末機器が、前記少なくとも１つの時間領域リソースユニット内で前記ターゲットチャネルの伝送に用いる開始符号、前記少なくとも１つの時間領域リソースユニット内で前記ターゲットチャネルの伝送に用いる符号の数量、前記少なくとも１つの時間領域リソースユニット内で前記ターゲットチャネルの伝送に用いるミニスロット及び前記少なくとも１つの時間領域リソースユニット内で前記ターゲットチャネルの伝送に用いるミニスロットの数量のうち少なくとも１つを含む。
【００２１】
第２態様の一実施形態において、前記同じ時間領域リソースの情報は、前記同じ時間領域リソースの識別子を含み、前記同じ時間領域リソースは予め設定した複数の時間領域リソース内で前記識別子に対応する時間領域リソースである。
【００２２】
第２態様の一実施形態において、前記第１周波数領域リソースは、連続周波数領域リソース又は不連続周波数領域リソースを含む。
【００２３】
第２態様の一実施形態において、前記同じ時間領域リソースは、前記少なくとも１つの時間領域リソースユニットにおけるすべての時間領域リソースである。
【００２４】
第２態様の一実施形態において、前記時間領域リソースユニットは、スロット、ミニスロット及びサブフレームのうちいずれか１つを含む。
【００２５】
第２態様の一実施形態において、前記データチャネルは、上りリンクデータチャネル、下りリンクデータチャネル及びサイドリンクデータチャネルのうちいずれか１つを含む。
【００２６】
第２態様の一実施形態において、ネットワーク機器が前記端末機器へ第１リソース指示情報を送信する前記ステップは、前記ネットワーク機器がシステム情報又は無線リソース制御ＲＲＣ制御シグナリングを介して前記端末機器へ前記第１リソース指示情報を送信することを含む。
【００２７】
第３態様では、端末機器が提供され、当該端末機器は、上記第１態様又は第１態様の任意選択的な実施形態における端末機器の操作を実行できる。具体的には、当該端末機器は、上記第１態様又は第１態様の任意選択的な実施形態における端末機器の操作を実行するためのモジュールユニットを含んでよい。
【００２８】
第４態様では、ネットワーク機器が提供され、当該ネットワーク機器は、上記第２態様又は第２態様の任意選択的な実施形態におけるネットワーク機器の操作を実行できる。具体的には、当該ネットワーク機器は、上記第２態様又は第２態様の任意選択的な実施形態におけるネットワーク機器の操作を実行するためのモジュールユニットを含んでよい。
【００２９】
第５態様では、端末機器が提供され、当該端末機器は、プロセッサ、送受信機及びメモリを含む。当該プロセッサ、送受信機及びメモリは内部接続経路を介して互いに通信する。当該メモリはコマンドを格納するために用いられ、当該プロセッサは当該メモリに格納されているコマンドを実行するために用いられる。当該プロセッサが当該メモリに格納されているコマンドを実行するとき、当該実行により当該端末機器が第１態様又は第１態様の任意選択的な実施形態における方法を実行するか、又は当該実行により当該端末機器が第３態様に係る端末機器を実現する。
【００３０】
第６態様では、ネットワーク機器が提供され、当該ネットワーク機器は、プロセッサ、送受信機及びメモリを含む。当該プロセッサ、送受信機及びメモリは内部接続経路を介して互いに通信する。当該メモリはコマンドを格納するために用いられ、当該プロセッサは当該メモリに格納されているコマンドを実行するために用いられる。当該プロセッサが当該メモリに格納されているコマンドを実行するとき、当該実行により当該ネットワーク機器が第２態様又は第２態様の任意選択的な実施形態における方法を実行するか、又は当該実行により当該ネットワーク機器が第４態様に係るネットワーク機器を実現する。
【００３１】
第７態様では、コンピュータ可読記憶媒体が提供され、前記コンピュータ可読記憶媒体には、上記第１態様及びその各種の実施形態におけるいずれか１つのデータ伝送方法をネットワーク機器に実行させるプログラムが格納されている。
【００３２】
第８態様では、コンピュータ可読記憶媒体が提供され、前記コンピュータ可読記憶媒体には、上記第２態様及びその各種の実施形態におけるいずれか１つのデータ伝送方法をネットワーク機器に実行させるプログラムが格納されている。
【００３３】
第９態様では、システムチップが提供され、当該システムチップは、入力インタフェース、出力インタフェース、プロセッサ及びメモリを含み、当該プロセッサは当該メモリに格納されているコマンドを実行するために用いられ、当該コマンドが実行されるとき、当該プロセッサは上記第１態様及びその各種の実施形態におけるいずれか１つの方法を実現することができる。
【００３４】
第１０態様では、システムチップが提供され、当該システムチップは、入力インタフェース、出力インタフェース、プロセッサ及びメモリを含み、当該プロセッサは当該メモリに格納されているコマンドを実行するために用いられ、当該コマンドが実行されるとき、当該プロセッサは上記第２態様及びその各種の実施形態におけるいずれか１つの方法を実現することができる。
【００３５】
第１１態様では、データ伝送方法が提供され、前記方法は、端末機器がネットワーク機器から送信された第１リソース指示情報を受信し、前記第１リソース指示情報は少なくとも１つの時間領域リソースユニットにおける、ターゲットチャネルの伝送に用いられる第２周波数領域リソースを指示し、前記ターゲットチャネルは前記端末機器のデータチャネル又は制御チャネルを含むステップと、前記端末機器が前記第２周波数領域リソースに基づいて、前記少なくとも１つの時間領域リソースユニットにおける第１周波数領域リソースを確定し、ただし、前記第１周波数領域リソースの複数の周波数領域リソースユニット上で前記ターゲットチャネルの伝送に用いられる時間領域リソースは同じであり、前記第１周波数領域リソースは前記第２周波数領域リソース以外の他のチャネル伝送に使用できる周波数領域リソースであるステップと、前記端末機器が前記ネットワーク機器から送信された第２リソース指示情報を受信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示し、前記第２周波数領域リソースの複数の周波数領域リソースユニット上で前記ターゲットチャネルの伝送に用いられる時間領域リソースは少なくとも一部が異なるステップとを含む。
【００３６】
第１２態様では、データ伝送方法が提供され、前記方法は、ネットワーク機器が、チャネル伝送に使用できる周波数領域リソース内で、少なくとも１つの時間領域リソースユニットにおける、ターゲットチャネルの伝送に用いられる第２周波数領域リソースを確定し、前記ターゲットチャネルは前記端末機器のデータチャネル又は制御チャネルを含むステップと、前記ネットワーク機器が前記端末機器へ第１リソース指示情報を送信し、前記第１リソース指示情報は、前記端末機器が前記第２周波数領域リソースに基づいて第１周波数領域リソースを確定しやすくするために、前記少なくとも１つの時間領域リソースユニットにおける前記第２周波数領域リソースを指示するために用いられ、前記第１周波数領域リソースの複数の周波数領域リソースユニット上で前記ターゲットチャネルの伝送に用いられる時間領域リソースは同じであり、前記第１周波数領域リソースは前記第２周波数領域リソース以外の他のチャネル伝送に使用できる周波数領域リソースであるステップと、前記ネットワーク機器が前記端末機器へ第２リソース指示情報を送信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示するために用いられ、前記第２周波数領域リソースの複数の周波数領域リソースユニット上で前記ターゲットチャネルの伝送に用いられる時間領域リソースは少なくとも一部が異なるステップとを含む。
【００３７】
つまり、第１態様及び第２態様に記載のように、ネットワーク機器は第１リソース指示情報を介して第１周波数領域リソースを指示することができ、端末機器は第１周波数領域リソースに基づいて第２周波数領域リソースの位置を推測することができ、又は、ネットワーク機器は第１１態様及び第１２態様の記載にしたがって、第１リソース指示情報を介して第２周波数領域リソースを指示してもよく、それにより端末機器は第２周波数領域リソースに基づいて第１周波数領域リソースの位置を推測することができる。第１１態様及び第１２態様に記載の方法は、具体的には第１態様及び第２態様の説明を参照すればよく、ここでは、簡潔にするために詳細な説明を省略する。
【００３８】
第１３態様では、端末機器が提供され、当該端末機器は、上記第１１態様又は第１１態様の任意選択的な実施形態における端末機器の操作を実行できる。具体的には、当該端末機器は、上記第１１態様又は第１１態様の任意選択的な実施形態における端末機器の操作を実行するためのモジュールユニットを含んでよい。
【００３９】
第１４態様では、ネットワーク機器が提供され、当該ネットワーク機器は、上記第１２態様又は第１２態様の任意選択的な実施形態におけるネットワーク機器の操作を実行できる。具体的には、当該ネットワーク機器は、上記第１２態様又は第１２態様の任意選択的な実施形態におけるネットワーク機器の操作を実行するためのモジュールユニットを含んでよい。
【００４０】
第１５態様では、端末機器が提供され、当該端末機器は、プロセッサ、送受信機及びメモリを含む。当該プロセッサ、送受信機及びメモリは内部接続経路を介して互いに通信する。当該メモリはコマンドを格納するために用いられ、当該プロセッサは当該メモリに格納されているコマンドを実行するために用いられる。当該プロセッサが当該メモリに格納されているコマンドを実行するとき、当該実行により当該端末機器が第１１態様又は第１１態様の任意選択的な実施形態における方法を実行するか、又は当該実行により当該端末機器が第１３態様に係る端末機器を実現する。
【００４１】
第１６態様では、ネットワーク機器が提供され、当該ネットワーク機器は、プロセッサ、送受信機及びメモリを含む。当該プロセッサ、送受信機及びメモリは内部接続経路を介して互いに通信する。当該メモリはコマンドを格納するために用いられ、当該プロセッサは当該メモリに格納されているコマンドを実行するために用いられる。当該プロセッサが当該メモリに格納されているコマンドを実行するとき、当該実行により当該ネットワーク機器が第１２態様又は第１２態様の任意選択的な実施形態における方法を実行するか、又は当該実行により当該ネットワーク機器が第１４態様に係るネットワーク機器を実現する。
【００４２】
第１７態様では、コンピュータ可読記憶媒体が提供され、前記コンピュータ可読記憶媒体には、上記第１１態様及びその各種の実施形態におけるいずれか１つのデータ伝送方法をネットワーク機器に実行させるプログラムが格納されている。
【００４３】
第１８態様では、コンピュータ可読記憶媒体が提供され、前記コンピュータ可読記憶媒体には、上記第１２態様及びその各種の実施形態におけるいずれか１つのデータ伝送方法をネットワーク機器に実行させるプログラムが格納されている。
【００４４】
第１９態様では、システムチップが提供され、当該システムチップは、入力インタフェース、出力インタフェース、プロセッサ及びメモリを含み、当該プロセッサは当該メモリに格納されているコマンドを実行するために用いられ、当該コマンドが実行されるとき、当該プロセッサは前記の第１１態様及びその各種の実施形態におけるいずれか１つの方法を実現することができる。
【００４５】
第２０態様では、システムチップが提供され、当該システムチップは、入力インタフェース、出力インタフェース、プロセッサ及びメモリを含み、当該プロセッサは当該メモリに格納されているコマンドを実行するために用いられ、当該コマンドが実行されるとき、当該プロセッサは前記の第１２態様及びその各種の実施形態におけるいずれか１つの方法を実現することができる。
【図面の簡単な説明】
【００４６】
【図１】本願の実施例の使用シナリオの概略アーキテクチャ図である。
【図２】従来技術におけるＰＤＳＣＨのリソース構成を示す模式図である。
【図３】従来技術におけるＰＵＳＣＨのリソース構成を示す模式図である。
【図４】本願の実施例のデータ伝送方法の概略フローチャートである。
【図５】本願の実施例のＰＤＳＣＨのリソース構成を示す模式図である。
【図６】本願の実施例のＰＤＳＣＨのリソース構成を示す模式図である。
【図７】本願の実施例のＰＤＳＣＨのリソース構成を示す模式図である。
【図８】本願の実施例のＰＵＳＣＨのリソース構成を示す模式図である。
【図９】本願の実施例のＰＵＳＣＨのリソース構成を示す模式図である。
【図１０】本願の実施例のＰＵＳＣＨのリソース構成を示す模式図である。
【図１１】本願の実施例のＰＤＳＣＨのリソース構成を示す模式図である
【図１２】本願の実施例のデータ伝送方法の概略フローチャートである。
【図１３】本願の実施例のＰＤＳＣＨマルチスロットリソース構成を示す模式図である。
【図１４】本願の実施例の端末機器の概略ブロック図である。
【図１５】本願の実施例のネットワーク機器の概略ブロック図である。
【図１６】本願の実施例の端末機器の概略構造図である。
【図１７】本願の実施例のネットワーク機器の概略構造図である。
【図１８】本願の実施例のシステムチップの概略構造図である。
【発明を実施するための形態】
【００４７】
以下、添付図面を参照しながら、本願の実施例における、技術的解決手段について説明する。
【００４８】
なお、本願の実施例の技術的解決手段は、例えば、モバイルコミュニケーションズのグローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）及び未来の５Ｇ通信システムなど、様々な通信システムに適用することができることは理解されたい。
【００４９】
本願は、端末機器と合わせて各実施例について説明した。端末機器は、ユーザ機器（Ｕｓｅｒ  Ｅｑｕｉｐｍｅｎｔ、略称「ＵＥ」）、アクセス端末、ユーザユニット、加入者局、移動局、モバイルステーション、遠隔局、遠隔端末、移動機器、ユーザ端末、端末、無線通信機器、ユーザエージェント又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスタント（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他の処理機器、車載機器、ウェアラブル機器、未来の５Ｇネットワークにおける、端末機器、又は未来の進化型地上波公共移動通信ネットワーク（Ｐｕｂｌｉｃ  Ｌａｎｄ  Ｍｏｂｉｌｅ  Ｎｅｔｗｏｒｋ、略称「ＰＬＭＮ」）における、端末機器などであってよい。
【００５０】
本願は、ネットワーク機器と合わせて各実施例について説明した。ネットワーク機器は、端末機器との通信に使用できる機器であってよく、例えば、ＧＳＭシステム又はＣＤＭＡシステムにおける、基地局（Ｂａｓｅ  Ｔｒａｎｓｃｅｉｖｅｒ  Ｓｔａｔｉｏｎ、略称「ＢＴＳ」）であってよく、ＷＣＤＭＡシステムにおける、基地局（ＮｏｄｅＢ、略称「ＮＢ」）であってもよく、ＬＴＥシステムにおける、進化型基地局（Ｅｖｏｌｖｅｄ  Ｎｏｄｅ  Ｂ、略称「ｅＮＢ」又は「ｅＮｏｄｅＢ」）であってもよく、又は当該ネットワーク機器は、中継局、アクセスポイント、車載機器、ウェアラブル機器、及び未来の５Ｇネットワークにおける、ネットワーク側機器若しくは未来の進化型ＰＬＭＮネットワークにおける、ネットワーク側の機器などであってもよい。
【００５１】
図１は、本願の実施例の１つの使用シナリオを示す模式図である。図１における、通信システムは、ネットワーク機器１０と端末機器２０を含んでよい。ネットワーク機器１０は、端末機器２０に通信サービス及びコアネットワークへのアクセスを提供するために用いられ、端末機器２０は、ネットワーク機器１０から送信された同期信号、放送信号などを検索することにより、ネットワークにアクセスし、それによりネットワークと通信することができる。図１に示す矢印は、端末機器２０とネットワーク機器１０との間でセルラーリンクを介して行われる上り／下り伝送を表すことができる。
【００５２】
本願の実施例におけるネットワークは、地上波公共移動通信ネットワーク（Ｐｕｂｌｉｃ  Ｌａｎｄ  Ｍｏｂｉｌｅ  Ｎｅｔｗｏｒｋ、略称「ＰＬＭＮ」）、又は機器対機器（Ｄｅｖｉｃｅ  ｔｏ  Ｄｅｖｉｃｅ、略称「Ｄ２Ｄ」）ネットワーク、又はマシン対マシン／ヒューマン（Ｍａｃｈｉｎｅ  ｔｏ  Ｍａｃｈｉｎｅ／Ｍａｎ、略称「Ｍ２Ｍ」）ネットワーク、又はその他のネットワークであってよく、図１は例の簡易模式図にすぎず、ネットワークは、さらに、その他の端末機器を含んでもよく、図１に示されていない。
【００５３】
現在、ロングタームエボリューション（Ｌｏｎｇ  Ｔｅｒｍ  Ｅｖｏｌｕｔｉｏｎ、略称「ＬＴＥ」）システムのシステム全帯域幅において、物理下り制御チャネル（Ｐｈｙｓｉｃａｌ  Ｄｏｗｎｌｉｎｋ  Ｃｏｎｔｒｏｌ  Ｃｈａｎｎｅｌ、略称「ＰＤＣＣＨ」）は１つのサブフレームにおける最初のいくつの符号を占用して伝送を行い、ＰＤＣＣＨが占用した符号の数は、同じサブフレームにおける物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、略称「ＰＣＦＩＣＨ」）により指示され、したがって、物理下り共有チャネル（Ｐｈｙｓｉｃａｌ  Ｄｏｗｎｌｉｎｋ  Ｓｈａｒｅｄ  ＣＨａｎｎｅｌ、略称「ＰＤＳＣＨ」）が１つのサブフレーム内で占用する符号がどれかは、同じサブフレーム内でＰＣＦＩＣＨが指示したＰＤＣＣＨに占用される符号の情報に基づいて推測して取得されることができ、端末に追加の指示をする必要がない。
【００５４】
しかし、５Ｇニューラジオ（Ｎｅｗ  Ｒａｄｉｏ、略称「ＮＲ」）システムにおいて、１つの時間領域リソースユニット、又はスロット（ｓｌｏｔ）、ミニスロット（ｍｉｎｉ−ｓｌｏｔ）のような時間領域スケジューリング単位において、最初のいくつの符号にＰＤＣＣＨがあってもよいが、具体的にＰＤＣＣＨの伝送に用いられる符号の数は、各リソースブロック（Ｐｈｙｓｉｃａｌ  Ｒｅｓｏｕｒｃｅ  Ｂｌｏｃｋ、略称「ＰＲＢ」）内で異なってもよい。基地局が、あるＰＲＢ内で端末へＰＤＳＣＨを伝送するとき、当該ＰＲＢ内でＰＤＳＣＨの伝送に用いられる開始符号は下り制御情報（Ｄｏｗｎｌｉｎｋ  Ｃｏｎｔｒｏｌ  Ｉｎｆｏｒｍａｔｉｏｎ、略称「ＤＣＩ」）を介して指示することができる。また、５Ｇシステムにおいて、「双方向スロット」をサポートし、すなわち１つのスロットの前半部分を下り伝送に使用し、後半部分を上り伝送に使用することができ、したがって１つのスロットの最後のいくつの符号は、ＰＤＳＣＨの伝送ではなく、物理上りリンク制御チャネル（Ｐｈｙｓｉｃａｌ  Ｕｐｌｉｎｋ  Ｃｏｎｔｒｏｌ  Ｃｈａｎｎｅｌ、略称「ＰＵＣＣＨ」）の伝送などの上りチャネルを伝送するために用いられ、当該ＰＵＣＣＨが当該スロット内で占用する符号の数はＤＣＩを介して指示することができる。したがって、５Ｇシステムにおいて、１つのスロットにおけるどの符号がＰＤＳＣＨの伝送に使用されるかは、ＤＣＩを介して知ることもできる。
【００５５】
物理上り共有チャネル（Ｐｈｙｓｉｃａｌ  Ｕｐｌｉｎｋ  Ｓｈａｒｅｄ  Ｃｈａｎｎｅｌ、略称「ＰＵＳＣＨ」）について、ＬＴＥシステムにおいて、ＰＵＳＣＨが１つのサブフレーム内で占用する符号がどれかは、フレーム構造に基づいて静的に確定するため、基地局が端末のために割り当てたＰＵＳＣＨの伝送に用いられるリソースのサブフレーム内でのリソース位置は完全に確定されており、端末に追加の指示をする必要がない。しかし、５Ｇシステムにおいて、１つの時間領域リソースユニット内で、基地局が端末のためにあるＰＲＢをスケジューリングした後、当該ＰＲＢにおけるＰＵＳＣＨは、全時間領域リソースユニットを占用する可能性があり、当該時間領域リソースユニットにおけるいくつの符号のみ占用して、その他の符号がＰＵＣＣＨ、ＰＤＣＣＨなどのその他のチャネルに占用される可能性もある。したがって、５Ｇシステムにおいて、ＤＣＩを介してＰＵＣＣＨ、ＰＤＣＣＨなどの伝送に使用されるリソース位置を指示する。
【００５６】
したがって、５Ｇ  ＮＲシステムにおいて、ＤＣＩの指示によりデータチャネルと制御チャネルの時間領域リソース、及び下りチャネルと上りチャネルの時間領域リソースの動的多重化を実現することは、リソースの利用率の向上に有利で、且つ時間遅延の短縮にも有利である。しかし、このようなリソース構成方法は基地局と端末機器の複雑さを増加させ、且つ不必要な制御シグナリングのオーバーヘッドを大量引き起こす。
【００５７】
図２に示したリソース構成方法を例とすると、ＰＲＢ内でＰＤＣＣＨの伝送に用いられる時間領域リソースのような各周波数領域スケジューリングユニットの長さは基地局により指示され、複数のＰＲＢにおいて、各ＰＲＢにおけるＰＤＣＣＨを伝送する時間領域リソースを指示するための制御シグナリングのオーバーヘッドが非常に多いことが分かる。しかし、実際に、５Ｇシステムにおける搬送波帯域幅は非常に広く、一般的にすべての帯域幅にＰＤＣＣＨを割り当てる必要がなく、多くの周波数領域リソースはＰＤＳＣＨの伝送に使用されるだけでよく、したがって各周波数領域スケジューリングユニット内でＰＤＣＣＨの伝送に使用される全部の時間領域リソースを指示する必要がない。
【００５８】
また、図３に示したリソース構成方法を例とすると、ＰＲＢ内でＰＵＣＣＨの伝送に用いられる時間領域リソースのような各周波数領域スケジューリングユニットの長さは基地局により指示され、複数のＰＲＢにおいて、各ＰＲＢにおけるＰＵＣＣＨを伝送する時間領域リソースを指示するための制御シグナリングのオーバーヘッドが非常に多いことが分かる。しかし、実際に、５Ｇシステムの搬送波帯域幅は非常に広く、一般的にすべての帯域幅上にＰＵＣＣＨを割り当てる必要がなく、多くの周波数領域リソースはＰＵＳＣＨの伝送に使用さればよく、したがって各周波数領域スケジューリングユニット内でＰＵＣＣＨの伝送に使用される全部の時間領域リソースを指示する必要がない。
【００５９】
１つのシステムにおいて、一部の周波数領域の範囲内でリソースの動的指示を行えばよく、多くのリソース範囲内でリソースに動的指示を行う必要がない。したがって、周波数領域の全範囲で上記のリソース構成方法を統一的に使用すると、基地局と端末機器の複雑さを増加させ、且つ不必要な制御シグナリングのオーバーヘッドを大量引き起こす。したがって、本願の実施例において、ネットワーク機器がデータチャネルの伝送リソースをスケジューリングするとき、異なる周波数領域リソースの範囲内で異なるリソース構成方法を用いることにより上り／下りチャネルが占用する時間領域リソースを割り当てる。第２周波数領域リソースの範囲内で、ネットワーク機器が端末機器それぞれに各周波数領域スケジューリング単位上で上り／下りチャネルの伝送に用いられる時間領域リソースを指示し、第１周波数領域リソース内で、端末機器が複数の周波数領域スケジューリング単位上で上り／下りチャネルの伝送に用いる時間領域リソースは予め設定した同じ時間領域リソースである。したがって、周波数領域の全範囲内で各周波数領域リソースユニットにおける伝送リソースを指示する必要がなく、それによりリソース構成プロセスに不必要な制御シグナリングのオーバーヘッドを低減させ、且つネットワーク機器と端末機器の複雑さを低減させる。
【００６０】
図４は、本願の実施例に係るデータ伝送方法４００の概略フローチャートである。図４における、データ伝送方法は、図１に示す端末機器２０のような端末機器により実行されることができる。図４に示すように、当該データ伝送の具体的なフローはステップ４１０〜４３０を含む。
【００６１】
４１０において、端末機器はネットワーク機器から送信された第１リソース指示情報を受信する。
【００６２】
当該第１リソース指示情報は、少なくとも１つの時間領域リソースユニットにおける、ターゲットチャネルの伝送に用いられる第１周波数領域リソースを指示し、当該第１周波数領域リソースの複数の周波数領域リソースユニット上で当該ターゲットチャネルの伝送に用いられる時間領域リソースは同じで、当該ターゲットチャネルは端末機器のデータチャネル又は制御チャネルを含む。
【００６３】
具体的には、端末機器は、ネットワーク機器から送信された、第１周波数領域リソースを指示する第１リソース指示情報を受信する。当該第１周波数領域リソースは、物理リソースブロックＰＲＢのような複数の周波数領域リソースユニットを含み、第１周波数領域リソースにおける各周波数領域リソースユニット上でターゲットチャネルの伝送に用いられる時間領域リソースはいずれも同じものである。端末機器は、第１リソース指示情報が指示した第１周波数領域リソースを確定した後、当該第１周波数領域リソースにおけるいずれか１つの周波数領域リソースユニット内でターゲットチャネルの伝送に使用される時間領域リソースはいずれも同じものである。
【００６４】
なお、当該第１周波数領域リソースは、スロットのような、ある時間領域リソースユニットに対するものであってよく、すなわち第１リソース指示情報が、あるスロット上でターゲットチャネルの伝送に用いられる当該第１周波数領域リソースを指示することであり、複数のスロットのような複数の時間領域リソースユニットに対するものであってもよく、すなわち第１リソース指示情報が複数のスロット上でターゲットチャネルの伝送に用いられる当該第１周波数領域リソースを指示することであると理解されたい。以下は、簡潔のために、いずれも当該第１周波数領域リソースを１つのスロット内でターゲットチャネルを伝送する周波数領域リソースとすることを例として説明するが、これに限定されるものではない。
【００６５】
当該方法は、さらに、端末機器が前記ネットワーク機器から送信された当該同じ時間領域リソースの情報を受信することを含む。
【００６６】
つまり、端末機器は、第１リソース指示情報に基づいて第１周波数領域リソースを確定した後、当該第１周波数領域リソースの複数の周波数領域リソースユニット内で当該ターゲットチャネルを伝送する時間領域リソースが同じであることを確定するとともに、ネットワーク機器から送信された当該同じ時間領域リソースの情報を受信することにより、具体的にどの時間領域リソース上でターゲットチャネルを伝送するかを確定することができる。
【００６７】
例えば、当該同じ時間領域リソースは、端末機器が当該少なくとも１つの時間領域リソースユニット内で当該ターゲットチャネルの伝送に用いる開始符号、当該少なくとも１つの時間領域リソースユニット内で当該ターゲットチャネルの伝送に用いる符号の数量、当該少なくとも１つの時間領域リソースユニット内で当該ターゲットチャネルの伝送に用いるミニスロット及び当該少なくとも１つの時間領域リソースユニット内で当該ターゲットチャネルの伝送に用いるミニスロットの数量のうち少なくとも１つであってよい。
【００６８】
具体的には、端末機器が受信した当該同じ時間領域リソースに基づく情報は、ターゲットチャネルの伝送に用いられる時間領域リソースが当該時間領域リソースユニット内で占用する符号の開始位置及び／又は占用する符号の数量を含んでもよく、さらに、ターゲットチャネルの伝送に用いられる時間領域リソースが第ｎ＋ｉ個目の時間領域リソースユニット内で占用するミニスロットの開始位置及び／又は占用するミニスロットの数量を含んでもよく、このとき、１つの時間領域リソースユニットは数個のミニスロットを含んでもよく、１つの時間領域リソースユニットが数個のミニスロットを含み、且つ各ミニスロットが数個の符号をさらに含む場合、当該同じ時間領域リソースの情報はターゲットチャネルの伝送に用いられる時間領域リソースが当該時間領域リソースユニット内で占用するミニスロットの情報及び当該ミニスロット内で占用する符号の情報を含んでもよい。ここでは制限しない。
【００６９】
また、例えば、当該同じ時間領域リソースの情報は、さらに、当該同じ時間領域リソースの識別子を含んでもよく、当該同じ時間領域リソースは、予め設定した複数の時間領域リソース内で当該識別子に対応する時間領域リソースである。
【００７０】
つまり、当該時間領域リソースユニットにおける当該第１周波数領域リソース内で、ターゲットチャネルの伝送に用いられる時間領域リソースは、予め設定した様々な時間領域リソース構成のうち１つであってもよく、具体的には、時間領域リソースに対応する識別子により確定されることができる。例えば、時間領域リソースユニットはスロットで、識別子１に対応する時間領域リソースはスロットにおける２−７番目の符号で、識別子２に対応する時間領域リソースはスロットにおける３−７番目の符号であることなどが挙げられ、第２リソース指示情報が識別子１を搬送する場合、当該スロット内で端末機器は第２−７番目の符号上でターゲットチャネルを伝送する。
【００７１】
当該時間領域リソースユニットは、スロット、ミニスロット及びサブフレームのうちいずれか１つを含む。
【００７２】
当該第１周波数領域リソースは、連続周波数領域リソース又は不連続周波数領域リソースを含む。
【００７３】
当該同じ時間領域リソースは、時間領域リソースユニットにおけるすべての時間領域リソースである。
【００７４】
この場合、当該時間領域リソースユニットにおける当該第１周波数領域リソース内で、ターゲットチャネルの伝送に用いられる時間領域リソースが全時間領域リソースユニットを占用し、全時間領域リソースユニットは、全体がターゲットチャネルを伝送するために用いられ、その他種類のチャネルを伝送しない。
【００７５】
端末機器がネットワーク機器から送信された第１リソース指示情報を受信することは、端末機器が、ネットワーク機器がシステム情報又は無線リソース制御ＲＲＣ制御シグナリングを介して送信した当該第１リソース指示情報を受信することを含む。
【００７６】
４２０において、端末機器は、ネットワーク機器から送信された第２リソース指示情報を受信する。
【００７７】
当該第２リソース指示情報は、当該少なくとも１つの時間領域リソースユニットにおける第２周波数領域リソースの複数の周波数領域リソースユニットにおいて、各周波数領域リソースユニット上でターゲットチャネルの伝送に用いられる時間領域リソースを指示し、当該第２周波数領域リソースの複数の周波数領域リソースユニット上で当該ターゲットチャネルの伝送に用いられる時間領域リソースは少なくとも一部が異なり、当該第２周波数領域リソースは第１周波数領域リソース以外の他のチャネル伝送に使用できる周波数領域リソースである。
【００７８】
具体的には、第１周波数領域リソース以外のチャネル伝送に使用できる周波数領域リソース、すなわち第２周波数領域リソース上で、端末機器が当該ターゲットチャネルを伝送する時間領域リソースはそれぞれ異なるか又は一部が異なり、したがってネットワーク機器は第２リソース指示情報を介して各周波数領域リソースユニット上でターゲットチャネルの伝送に用いられる時間領域リソースを指示する必要がある。
【００７９】
ネットワーク機器は、第１周波数領域リソースと第２周波数領域リソースに分割され、且つ異なる周波数領域リソースの範囲内で異なるリソース構成方法を用いてターゲットチャネルが占用する時間領域リソースを割り当てる。例えば、第１周波数領域リソースの範囲内で、ネットワーク機器は端末機器に各周波数領域リソースユニット上でターゲットチャネルの伝送に用いられる時間領域リソースをそれぞれ指示し、第２周波数領域リソースの範囲内で端末機器が複数の周波数領域スケジューリング単位上でターゲットチャネルの伝送に用いられる時間領域リソースは予め設定した同じ時間領域リソースである。したがって従来技術における、各周波数領域リソースユニットでのターゲットチャネルリソースをそれぞれ指示することに従う必要がなく、それによりリソース構成プロセスにおける不必要な制御シグナリングのオーバーヘッドを低減させ、且つネットワーク機器と端末機器の複雑さを低減させる。
【００８０】
４２０の後、当該方法は、４３０をさらに含んでもよい。
【００８１】
４３０において、端末機器は、第１周波数領域リソースの複数の周波数領域リソースユニット上で、同じ時間領域リソースを使用して、ネットワーク機器に当該ターゲットチャネルを送信するか、又はネットワーク機器から送信された当該ターゲットチャネルを受信し、且つ第２周波数領域リソースの複数の周波数領域リソースユニット上で、第２リソース指示情報が指示した時間領域リソースユニットを使用して、ネットワーク機器に当該ターゲットチャネルを送信するか、又はネットワーク機器から送信された当該ターゲットチャネルを受信する。
【００８２】
上記方法は、上り伝送と下り伝送のシナリオに使用することができ、当該ターゲットチャネルはデータチャネルであっても制御チャネルであってもよく、当該データチャネルは上りリンクデータチャネルであっても、下りリンクデータチャネルであっても、又はサイドリンク（ｓｉｄｅｌｉｎｋ）データチャネルであってもよい。
【００８３】
なお、本願の実施例において、ネットワーク機器は第１リソース指示情報を介して第１周波数領域リソースを指示することができ、端末機器は第１周波数領域リソースに基づいて第２周波数領域リソースの位置を推測することができ、ネットワーク機器は第１リソース指示情報を介して第２周波数領域リソースを指示することもでき、それにより端末機器は第２周波数領域リソースに基づいて第１周波数領域リソースの位置を推測することができる。ネットワーク機器の指示により端末機器が第１周波数領域リソースと第２周波数領域リソースを知ることができればよく、ここでは制限しない。
【００８４】
本願の実施例において、ネットワーク機器がデータチャネルの伝送リソースに対してスケジューリングを行う際、異なる周波数領域リソースの範囲内で異なるリソース構成方法を用いることにより上り／下りチャネルが占用する時間領域リソースを割り当て、例えば、第１周波数領域リソースの範囲内で、ネットワーク機器が端末機器に各周波数領域スケジューリング単位上で上り／下りチャネルの伝送に用いられる時間領域リソースをそれぞれ指示し、第２周波数領域リソースの範囲内で、端末機器が複数の周波数領域スケジューリング単位上で伝送上り／下りチャネルの伝送に用いられる時間領域リソースは予め設定した同じ時間領域リソースであり、したがってそれぞれ指示する必要がなく、それによりリソース構成プロセスにおける不必要な制御シグナリングのオーバーヘッドを低減させ、且つネットワーク機器と端末機器の複雑さを低減させる。
【００８５】
以下、図５〜図１０における例示を用いて本願の実施例のデータ伝送方法について詳細に説明する。図５〜図１０は、ターゲットチャネルをデータチャネルとすることを例として説明する。
【００８６】
例として、図５は、ＰＤＳＣＨのリソース構成を示す模式図である。ネットワーク機器は、搬送波帯域幅の両側の周波数領域リソースを下り予約リソース、すなわち第１周波数領域リソースとし、第１周波数領域リソース内で、スロットにおけるすべての符号は、ＰＤＣＣＨの伝送ではなく、いずれもＰＤＳＣＨの伝送に用いられる。ネットワーク機器は、システム情報又はＲＲＣシグナリングを介して端末機器に当該第１周波数領域リソースを指示することができ、それにより端末機器は、第１周波数領域リソースの複数の周波数領域リソースユニット上で、ネットワーク機器から送信されたＰＤＳＣＨのみを受信する。第２周波数領域リソースの各周波数領域リソースユニット上で、端末機器は第２リソース指示情報が指示した時間領域リソースユニットを使用して、ネットワーク機器から送信されたＰＤＳＣＨを受信する。
【００８７】
また、図６は、ＰＤＳＣＨのリソース構成を示す模式図である。ネットワーク機器は、搬送波帯域幅の両側の周波数領域リソースを下り予約リソース、すなわち第１周波数領域リソースとし、第１周波数領域リソース内で、１つのスロット内でＰＤＣＣＨの伝送に用いられる符号の数量は固定されたものであり、したがって当該スロット内でＰＤＳＣＨを伝送する符号の数量も固定されたものである。ネットワーク機器は、システム情報又はＲＲＣシグナリングを介して端末機器に当該第１周波数領域リソースを指示することができ、それにより端末機器は、第１周波数領域リソースの複数の周波数領域リソースユニット上で、固定の時間領域リソースを使用してネットワーク機器から送信されたＰＤＣＣＨを受信し、且つ固定の時間領域リソースを使用してネットワーク機器から送信されたＰＤＳＣＨを受信する。第２周波数領域リソースの各周波数領域リソースユニット上で、端末機器は第２リソース指示情報が指示した時間領域リソースユニットを使用して、ネットワーク機器から送信されたＰＤＳＣＨを受信する。
【００８８】
また、図７は、ＰＤＳＣＨのリソース構成を示す模式図である。ネットワーク機器は、搬送波帯域幅の両側の周波数領域リソースを下り予約リソース、すなわち第１周波数領域リソースとし、第１周波数領域リソース内で、１つのスロット内にＰＵＣＣＨの伝送のような上り伝送に用いられる固定数量と位置の符号があり、スロットにおける残りのすべての符号はいずれもＰＤＳＣＨの伝送に用いられる。ネットワーク機器が端末機器に当該第１周波数領域リソースを指示し、それにより端末機器は、第１周波数領域リソースの複数の周波数領域リソースユニット上で、固定の時間領域リソースを使用してネットワーク機器から送信されたＰＤＳＣＨを受信し、且つ固定の時間領域リソースを使用してネットワーク機器にＰＵＣＣＨを送信する。第２周波数領域リソースの各周波数領域リソースユニット上で、端末機器は第２リソース指示情報が指示した時間領域リソースユニットを使用して、ネットワーク機器から送信されたＰＤＳＣＨを受信する。
【００８９】
また、図８は、ＰＵＳＣＨリソース構成を示す模式図である。ネットワーク機器は、搬送波帯域幅の中心にある周波数領域リソースを上り予約リソース、すなわち第１周波数領域リソースとし、第１周波数領域リソース内で、１つのスロットのすべての符号は、ＰＵＣＣＨの伝送ではなく、いずれもＰＵＳＣＨのために使用される。ネットワーク機器は、システム情報又はＲＲＣシグナリングを介して端末機器に当該第１周波数領域リソースを指示することができ、それにより端末機器は、第１周波数領域リソースの複数の周波数領域リソースユニット上で、ネットワーク機器のみにＰＵＳＣＨを送信する。第２周波数領域リソースの各周波数領域リソースユニット上で、端末機器は第２リソース指示情報が指示した時間領域リソースユニットを使用して、ネットワーク機器にＰＵＳＣＨを送信する。
【００９０】
また、図９は、ＰＵＳＣＨのリソース構成を示す模式図である。ネットワーク機器は、搬送波帯域幅の中心にある周波数領域リソースを上り予約リソース、すなわち第１周波数領域リソースとし、第１周波数領域リソース内で、１つのスロット内でＰＵＣＣＨの伝送に用いられる符号の数量と位置は固定され、したがって当該スロット内でＰＵＳＣＨを伝送する符号の数量も固定される。ネットワーク機器は、システム情報又はＲＲＣシグナリングを介して端末機器に当該第１周波数領域リソースを指示することができ、それにより端末機器は、第１周波数領域リソースの複数の周波数領域リソースユニット上で、固定の時間領域リソースを使用してネットワーク機器にＰＵＣＣＨを送信し、且つ固定の時間領域リソースを使用してネットワーク機器にＰＵＳＣＨを送信する。第２周波数領域リソースの各周波数領域リソースユニット上で、端末機器は第２リソース指示情報が指示した時間領域リソースユニットを使用して、ネットワーク機器にＰＵＳＣＨを送信する。
【００９１】
また、図１０は、ＰＵＳＣＨのリソース構成を示す模式図である。ネットワーク機器は、搬送波帯域幅の中心にある周波数領域リソースを上り予約リソース、すなわち第１周波数領域リソースとし、第１周波数領域リソース内で、１つのスロット内にＰＤＣＣＨの伝送のような下り伝送に用いられる固定数量及び位置の符号があり、スロットにおける残りのすべての符号はいずれもＰＵＳＣＨの伝送に用いられる。ネットワーク機器が端末機器に当該第１周波数領域リソースを指示し、それにより端末機器は、第１周波数領域リソースの複数の周波数領域リソースユニット上で、固定の時間領域リソースを使用してネットワーク機器から送信されたＰＤＣＣＨを受信し、且つ固定の時間領域リソースを使用してネットワーク機器にＰＵＳＣＨを送信する。第２周波数領域リソースの各周波数領域リソースユニット上で、端末機器は第２リソース指示情報が指示した時間領域リソースユニットを使用して、ネットワーク機器にＰＵＳＣＨを送信する。
【００９２】
上記の図５〜図１０はネットワーク機器から送信された第１リソース指示情報が第１周波数領域リソースを指示することを説明したが、ネットワーク機器は第１リソース指示情報を介して第２周波数領域リソースを指示することもでき、それにより端末機器は第２周波数領域リソースに基づいて第１周波数領域リソースの位置を推測することができる。
【００９３】
例えば、図１１は、ＰＤＳＣＨのリソース構成を示す模式図である。ネットワーク機器は、搬送波帯域幅の両側の周波数領域リソースを下り予約リソース、すなわち第１周波数領域リソースとし、第１周波数領域リソース内で、スロットにおけるすべての符号は、ＰＤＣＣＨの伝送ではなく、いずれもＰＤＳＣＨの伝送に用いられる。ネットワーク機器は、システム情報又は或ＲＲＣシグナリングを介して端末機器に第２周波数領域リソースを指示することができ、端末機器は、第２周波数領域リソースに基づいて第１周波数領域リソースの位置を推測することができ、それにより第１周波数領域リソースの複数の周波数領域リソースユニット上で、ネットワーク機器から送信されたＰＤＳＣＨのみを受信し、第２周波数領域リソース上でネットワーク機器から送信された、各ＰＲＢ上でデータチャネルを伝送する時間領域リソースを指示するための指示情報に基づいて、データチャネルの伝送を行う。第２周波数領域リソースの各周波数領域リソースユニット上で、端末機器は第２リソース指示情報が指示した時間領域リソースユニットを使用して、ネットワーク機器から送信されたＰＤＳＣＨを受信する。
【００９４】
図１２は、本願の実施例によるデータ伝送方法１２００の概略フローチャートである。図４における、データ伝送方法はネットワーク機器、例えば図１に示すネットワーク機器１０によって実行することができる。図１２に示すように、当該データ伝送の具体的なフローは１２１０〜１２３０を含む。
【００９５】
１２１０において、ネットワーク機器が、チャネル伝送に使用できる周波数領域リソース内で、少なくとも１つの時間領域リソースユニットにおける、ターゲットチャネルの伝送に用いられる第１周波数領域リソースを確定する。
【００９６】
当該第１周波数領域リソースの複数の周波数領域リソースユニット上で当該ターゲットチャネルの伝送に用いられる時間領域リソースは同じであり、前記ターゲットチャネルは端末機器のデータチャネル又は制御チャネルを含む。
【００９７】
１２２０において、ネットワーク機器が端末機器に第１リソース指示情報を送信する。
【００９８】
当該第１リソース指示情報は当該少なくとも１つの時間領域リソースユニットにおける当該第１周波数領域リソースを指示するために用いられる。
【００９９】
具体的には、ネットワーク機器が端末機器に第１周波数領域リソースを指示するための第１リソース指示情報を送信する。当該第１周波数領域リソースは、物理リソースブロックＰＲＢのような複数の周波数領域リソースユニットを含み、第１周波数領域リソースユニットにおける各周波数領域リソースユニット上でデータチャネルの伝送に用いられる時間領域リソースはいずれも同じである。ネットワーク機器が、第１リソース指示情報が指示した第１周波数領域リソースを確定した後、当該第１周波数領域リソースにおけるいずれか１つの周波数領域リソースユニット内でデータチャネルの伝送に使用される時間領域リソースはいずれも同じである。
【０１００】
なお、当該第１周波数領域リソースは、スロットのようなある時間領域リソースユニットに対するものであってよく、すなわち第１リソース指示情報があるスロット上でデータチャネルの伝送に用いられる当該第１周波数領域リソースを指示し、複数のスロットのような複数の時間領域リソースユニットに対するものであってもよく、すなわち第１リソース指示情報が複数のスロット上でデータチャネルの伝送に用いられる当該第１周波数領域リソースを指示することが理解されたい。以下では、簡潔のために、いずれも当該第１周波数領域リソースを１つのスロット内でデータチャネルを伝送する周波数領域リソースとすることを例として説明するが、これに限定されるものではない。
【０１０１】
一実施形態において、当該方法は、更に、ネットワーク機器が端末機器に当該同じ時間領域リソースの情報を送信することを含む。
【０１０２】
一実施形態において、当該同じ時間領域リソースは、端末機器が当該少なくとも１つの時間領域リソースユニット内で当該ターゲットチャネルの伝送に用いる開始符号、当該少なくとも１つの時間領域リソースユニット内で当該ターゲットチャネルの伝送に用いる符号の数量、当該少なくとも１つの時間領域リソースユニット内で当該ターゲットチャネルの伝送に用いるミニスロット及び当該少なくとも１つの時間領域リソースユニット内で当該ターゲットチャネルの伝送に用いるミニスロットの数量のうちいずれか１つであってよい。
【０１０３】
一実施形態において、当該同じ時間領域リソースの情報は、さらに、当該同じ時間領域リソースの識別子を含んでよく、当該同じ時間領域リソースは予め設定した複数の時間領域リソース内で当該識別子に対応する時間領域リソースである。
【０１０４】
つまり、当該時間領域リソースユニットにおける当該第１周波数領域リソース内で、データチャネルの伝送に用いられる時間領域リソースは、予め設定した様々な時間領域リソース構成のうち１つであってよく、具体的には、時間領域リソースに対応する識別子により確定されることができる。
【０１０５】
一実施形態において、当該時間領域リソースユニットは、スロット、ミニスロット及びサブフレームのうちいずれか１つを含む。
【０１０６】
一実施形態において、当該第１周波数領域リソースは、連続周波数領域リソース又は不連続周波数領域リソースを含む。
【０１０７】
一実施形態において、当該同じ時間領域リソースは、時間領域リソースユニットにおけるすべての時間領域リソースである。
【０１０８】
この場合、当該時間領域リソースユニットにおける当該第１周波数領域リソース内で、データチャネルの伝送に用いられる時間領域リソースが全時間領域リソースユニットを占用し、全時間領域リソースユニットは、全体がデータチャネルを伝送するために用いられ、制御チャネルを伝送しない。
【０１０９】
一実施形態において、ネットワーク機器が前記端末機器へ第１リソース指示情報を送信することは、
ネットワーク機器がシステム情報又は無線リソース制御ＲＲＣ制御シグナリングを介して端末機器に当該第１リソース指示情報を送信することを含む。
【０１１０】
１２３０において、ネットワーク機器は端末機器に第２リソース指示情報を送信する。
【０１１１】
当該第２リソース指示情報は当該少なくとも１つの時間領域リソースユニットにおける第２周波数領域リソースの複数の周波数領域リソースユニットにおいて、各周波数領域リソースユニット上でターゲットチャネルの伝送に用いられる時間領域リソースを指示し、当該第２周波数領域リソースの複数の周波数領域リソースユニット上で当該ターゲットチャネルの伝送に用いられる時間領域リソースは少なくとも一部が異なり、当該第２周波数領域リソースは第１周波数領域リソース以外の他のチャネル伝送に使用できる周波数領域リソースである。
【０１１２】
具体的には、第１周波数領域リソース以外のチャネル伝送に使用できる周波数領域リソース、すなわち第２周波数領域リソース上で、端末機器が当該ターゲットチャネルを伝送する時間領域リソースはそれぞれ異なるか又は一部が異なり、したがってネットワーク機器は第２リソース指示情報を介して各周波数領域リソースユニット上でターゲットチャネルの伝送に用いられる時間領域リソースを指示する必要がある。
【０１１３】
ネットワーク機器は第１周波数領域リソースと第２周波数領域リソースに分割され、且つ異なる周波数領域リソースの範囲内で異なるリソース構成方法を用いてターゲットチャネルが占用する時間領域リソースを割り当てる。例えば、第１周波数領域リソースの範囲内で、ネットワーク機器は端末機器に各周波数領域リソースユニット上でターゲットチャネルの伝送に用いられる時間領域リソースをそれぞれ指示し、第２周波数領域リソースの範囲内で端末機器が複数の周波数領域スケジューリング単位上でターゲットチャネルの伝送に用いる時間領域リソースは予め設定した同じ時間領域リソースである。したがって従来技術における、各周波数領域リソースユニットでのターゲットチャネルリソースをそれぞれ指示することに従う必要がなく、それによりリソース構成プロセスにおける不必要な制御シグナリングのオーバーヘッドを低減させ、且つネットワーク機器と端末機器の複雑さを低減させる。
【０１１４】
一実施形態において、１２３０の後、当該方法は、さらに１２４０を含んでもよい。
【０１１５】
１２４０において、ネットワーク機器は、第１周波数領域リソースの複数の周波数領域リソースユニット上で、当該同じ時間領域リソースを使用して、端末機器に当該ターゲットチャネルを送信するか又は端末機器から送信された当該ターゲットチャネルを受信し、且つ当該第２周波数領域リソースの複数の周波数領域リソースユニット上で、当該第２リソース指示情報が指示した時間領域リソースユニットを使用して、端末機器に当該ターゲットチャネルを送信するか又は端末機器から送信された当該ターゲットチャネルを受信する。
【０１１６】
上記方法は、上り伝送と下り伝送シナリオに使用されることができ、当該ターゲットチャネルはデータチャネルであっても制御チャネルであってもよく、当該データチャネルは上りリンクデータチャネルであっても、下りリンクデータチャネルであっても、又はサイドリンク（ｓｉｄｅｌｉｎｋ）データチャネルであってもよい。
【０１１７】
なお、本願の実施例において、ネットワーク機器は第１リソース指示情報を介して第１周波数領域リソースを指示することができ、端末機器は第１周波数領域リソースに基づいて第２周波数領域リソースの位置を推測することができ、ネットワーク機器は第１リソース指示情報を介して第２周波数領域リソースを指示することもでき、それにより端末機器は第２周波数領域リソースに基づいて第１周波数領域リソースの位置を推測することができる。ネットワーク機器の指示により端末機器が第１周波数領域リソースと第２周波数領域リソースを知ることができればよく、ここでは制限しない。
【０１１８】
さらに、ネットワーク機器が第１リソース指示情報と第２リソース指示情報を介して端末機器のために伝送リソースを割り当てる場合、前記の図５〜図１１を参照すればよく、簡潔にするために詳細な説明を省略したことは理解されたい。
【０１１９】
さらに、本願の実施例において、ネットワーク機器は第１リソース指示情報を介して複数のスロットの予約周波数領域リソース範囲、すなわち第１周波数領域リソースを指示することができることは理解されたい。例えば、図１３は、ＰＤＳＣＨのリソース構成を示す模式図である。複数のスロットにおいて、ネットワーク機器は、いずれも搬送波帯域幅の両側の周波数領域リソースを下り予約リソース、すなわち第１周波数領域リソースとし、第１周波数領域リソース内で、この複数のスロットは、ＰＤＣＣＨの伝送ではなく、ＰＤＳＣＨの伝送にすべての符号を使用する。ネットワーク機器は、システム情報又はＲＲＣシグナリングを介して端末機器にこの複数のスロットにおける当該第１周波数領域リソースを指示することができ、それにより端末機器はこれらのスロットにおける第１周波数領域リソースの複数の周波数領域リソースユニット上で、ネットワーク機器から送信されたＰＤＳＣＨのみを受信する。これらのスロットにおける第２周波数領域リソースの各周波数領域リソースユニット上で、端末機器は第２リソース指示情報が指示した時間領域リソースユニットを使用して、ネットワーク機器から送信されたＰＤＳＣＨを受信する。
【０１２０】
なお、本願の各種の実施例において、上記の各プロセスの番号は実行順序を意味せず、各プロセスの実行順序はその機能及び内部論理によって決定されるべきであり、本願の実施例の実施プロセスを何ら限定するものではないと理解すべきである。
【０１２１】
図１４は、本願の実施例による端末機器１４００の概略ブロック図である。図１４に示すように、当該端末機器１４００は、受信ユニット１４１０及び送信ユニット１４２０を含む。
【０１２２】
当該受信ユニット１４１０は、ネットワーク機器から送信された第１リソース指示情報を受信し、前記第１リソース指示情報は、少なくとも１つの時間領域リソースユニットにおける、ターゲットチャネルの伝送に用いられる第１周波数領域リソースを指示し、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含むことと、ネットワーク機器から送信された第２リソース指示情報を受信し、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示し、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースであることと、に用いられる。
【０１２３】
一実施形態において、前記送信ユニット１４２０は、前記第１周波数領域リソースの複数の周波数領域リソースユニット上で、前記同じ時間領域リソースを使用して、前記ネットワーク機器へ前記ターゲットチャネルを送信し、且つ前記第２周波数領域リソースの複数の周波数領域リソースユニット上で、前記第２リソース指示情報に指示された時間領域リソースユニットを使用して、前記ネットワーク機器へ前記ターゲットチャネルを送信するために用いられる。
【０１２４】
前記受信ユニット１４１０は、さらに、前記第１周波数領域リソースの複数の周波数領域リソースユニット上で、前記同じ時間領域リソースを使用して、前記ネットワーク機器から送信された前記ターゲットチャネルを受信し、且つ前記第２周波数領域リソースの複数の周波数領域リソースユニット上で、前記第２リソース指示情報に指示された時間領域リソースユニットを使用して、前記ネットワーク機器から送信された前記ターゲットチャネルを受信することに用いられる。
【０１２５】
したがって、端末機器は、一部の周波数領域リソースのみでネットワーク機器から送信された、各周波数領域スケジューリング単位上で上り／下りチャネルの伝送に用いられる時間領域リソースをそれぞれ指示するための指示情報を受信し、別の部分の周波数領域リソース範囲内では、端末機器が複数の周波数領域スケジューリング単位上で上り／下りチャネルの伝送に用いる時間領域リソースは予め設定した同じ時間領域リソースである。したがって、端末機器は、周波数領域の全範囲内でネットワーク機器が各周波数領域リソースユニットにおける伝送用のリソースに対してそれぞれ行った指示を受信する必要がなく、それによってリソース構成プロセスにおける不必要な制御シグナリングのオーバーヘッドを低減させ、且つ端末機器の複雑さを低減させる。
【０１２６】
一実施形態において、前記受信ユニット１４１０は、さらに、前記端末機器が、前記ネットワーク機器から送信された前記同じ時間領域リソースの情報を受信することに用いられる。
【０１２７】
一実施形態において、前記同じ時間領域リソースの情報は、端末機器が、前記少なくとも１つの時間領域リソースユニット内で前記データチャネルの伝送に用いる開始符号、前記少なくとも１つの時間領域リソースユニット内で前記データチャネルの伝送に用いる符号の数量、前記少なくとも１つの時間領域リソースユニット内で前記データチャネルの伝送に用いるミニスロット及び前記少なくとも１つの時間領域リソースユニット内で前記データチャネルの伝送に用いるミニスロットの数量のうち少なくとも１つを含む。
【０１２８】
一実施形態において、前記同じ時間領域リソースの情報は、前記同じ時間領域リソースの識別子を含み、前記同じ時間領域リソースは予め設定した複数の時間領域リソース内で前記識別子に対応する時間領域リソースである。
【０１２９】
一実施形態において、前記第１周波数領域リソースは、連続周波数領域リソース又は不連続周波数領域リソースを含む。
【０１３０】
一実施形態において、前記同じ時間領域リソースは、前記少なくとも１つの時間領域リソースユニットにおけるすべての時間領域リソースである。
【０１３１】
一実施形態において、前記時間領域リソースユニットは、スロット、ミニスロット及びサブフレームのうちいずれか１つを含む。
【０１３２】
一実施形態において、前記データチャネルは、上りリンクデータチャネル、下りリンクデータチャネル及びサイドリンクデータチャネルのうちいずれか１つを含む。
【０１３３】
一実施形態において、前記受信ユニット１４１０は、具体的には、ネットワーク機器がシステム情報又は無線リソース制御ＲＲＣ制御シグナリングを介して送信した前記第１リソース指示情報を受信するために用いられる。
【０１３４】
図１５は、本願の実施例に係るネットワーク機器１５００の概略ブロック図である。図１５に示すように、当該ネットワーク機器１５００は、確定ユニット１５１０と送信ユニット１５２０を含む。
【０１３５】
確定ユニット１５１０は、データチャネル伝送に使用できる周波数領域リソース内で、少なくとも１つの時間領域リソースユニットにおける、ターゲットチャネルの伝送に用いられる第１周波数領域リソースを確定するために用いられ、前記第１周波数領域リソースの複数の周波数領域リソースユニット上で前記ターゲットチャネルの伝送に用いられる時間領域リソースは同じであり、前記ターゲットチャネルは前記端末機器のデータチャネル又は制御チャネルを含む。
【０１３６】
送信ユニット１５２０は、前記端末機器へ前記少なくとも１つの時間領域リソースユニットにおける前記第１周波数領域リソースを指示するための第１リソース指示情報を送信するために用いられる。
【０１３７】
前記送信ユニット１５２０は、さらに、前記端末機器へ第２リソース指示情報を送信するために用いられ、前記第２リソース指示情報は、前記少なくとも１つの時間領域リソースユニットにおける第２周波数領域リソースの複数の周波数領域リソースユニット内で、各周波数領域リソースユニット上で前記ターゲットチャネルの伝送に用いられる時間領域リソースを指示するために用いられ、前記第２周波数領域リソースの複数の周波数領域リソースユニット上で前記ターゲットチャネルの伝送に用いられる時間領域リソースは少なくとも一部が異なり、前記第２周波数領域リソースは、前記第１周波数領域リソース以外の他のチャネル伝送に使用できる周波数領域リソースである。
【０１３８】
したがって、ネットワーク機器は、一部の周波数領域リソースのみで端末機器へ各周波数領域スケジューリング単位上で上り／下りチャネルの伝送に用いられる時間領域リソースをそれぞれ指示し、別の部分の周波数領域リソース範囲内では、端末機器が複数の周波数領域スケジューリング単位上で上り／下りチャネルの伝送に用いる時間領域リソースは予め設定した同じ時間領域リソースである。したがって、ネットワーク機器は、周波数領域の全範囲内で各周波数領域リソースユニットにおける伝送用のリソースをそれぞれ指示する必要がなく、それによりリソース構成プロセスにおける不必要な制御シグナリングのオーバーヘッドを低減させ、且つネットワーク機器の複雑さを低減させる。
【０１３９】
一実施形態において、前記端末機器は、さらに、前記第１周波数領域リソースの複数の周波数領域リソースユニット上で、前記同じ時間領域リソースを使用して、前記ネットワーク機器へ前記ターゲットチャネルを送信し、且つ前記第２周波数領域リソースの複数の周波数領域リソースユニット上で、前記第２リソース指示情報に指示された時間領域リソースユニットを使用して、前記ネットワーク機器へ前記ターゲットチャネルを送信するために用いられる送信ユニット１５２０を含む。
【０１４０】
前記受信ユニットは、さらに、前記第１周波数領域リソースの複数の周波数領域リソースユニット上で、前記同じ時間領域リソースを使用して、前記ネットワーク機器から送信された前記ターゲットチャネルを受信し、且つ前記第２周波数領域リソースの複数の周波数領域リソースユニット上で、前記第２リソース指示情報に指示された時間領域リソースユニットを使用して、前記ネットワーク機器から送信された前記ターゲットチャネルを受信するために用いられる。
【０１４１】
一実施形態において、前記受信ユニットは、さらに、前記端末機器が、前記ネットワーク機器から送信された前記同じ時間領域リソースの情報を受信するために用いられることを特徴とする。
【０１４２】
一実施形態において、前記同じ時間領域リソースの情報は、端末機器が、前記少なくとも１つの時間領域リソースユニット内で前記データチャネルの伝送に用いる開始符号、前記少なくとも１つの時間領域リソースユニット内で前記データチャネルの伝送に用いる符号の数量、前記少なくとも１つの時間領域リソースユニット内で前記データチャネルの伝送に用いるミニスロット及び前記少なくとも１つの時間領域リソースユニット内で前記データチャネルの伝送に用いるミニスロットの数量のうち少なくとも１つを含む。
【０１４３】
一実施形態において、前記同じ時間領域リソースの情報は、前記同じ時間領域リソースの識別子を含み、前記同じ時間領域リソースは予め設定した複数の時間領域リソース内で前記識別子に対応する時間領域リソースである。
【０１４４】
一実施形態において、前記第１周波数領域リソースは、連続周波数領域リソース又は不連続周波数領域リソースを含む。
【０１４５】
一実施形態において、前記同じ時間領域リソースは、前記少なくとも１つの時間領域リソースユニットにおけるすべての時間領域リソースである。
【０１４６】
一実施形態において、前記時間領域リソースユニットは、スロット、ミニスロット及びサブフレームのうちいずれか１つを含む。
【０１４７】
一実施形態において、前記データチャネルは、上りリンクデータチャネル、下りリンクデータチャネル及びサイドリンクデータチャネルのうちいずれか１つを含む。
【０１４８】
一実施形態において、前記受信ユニットは、具体的には、ネットワーク機器がシステム情報又は無線リソース制御ＲＲＣ制御シグナリングを介して送信した前記第１リソース指示情報を受信するために用いられる。
【０１４９】
図１６は、本願の実施例による端末機器１６００の概略構造図である。図１６に示すように、当該端末機器は、プロセッサ１６１０、送受信機１６２０及びメモリ１６３０を含み、当該プロセッサ１６１０、送受信機１６２０及びメモリ１６３０は内部接続経路を介して互いに通信する。メモリ１６３０はコマンドを格納するために用いられ、当該プロセッサ１６１０は当該メモリ１６３０に格納されているコマンドを実行するために用いられ、それにより当該送受信機１６２０を制御して信号を受信するか又は信号を送信する。
【０１５０】
一実施形態において、当該プロセッサ１６１０は、メモリ１６３０に格納されているプログラムコードを呼び出して、図６に示す方法６００における、端末機器の対応する操作を実行することができ、簡潔にするため、ここでは詳細な説明を省略する。
【０１５１】
なお、本願の実施例において、当該プロセッサ１６１０は、中央処理装置（Ｃｅｎｔｒａｌ  Ｐｒｏｃｅｓｓｉｎｇ  Ｕｎｉｔ、略称「ＣＰＵ」）であってよく、当該プロセッサ１６１０は、さらに、他の汎用プロセッサ、デジタル信号プロセッサ（ＤＳＰ）、特定用途向け集積回路（ＡＳＩＣ）、既製のプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよく、汎用プロセッサはマイクロプロセッサであってもよく、又は当該プロセッサは任意の従来のプロセッサなどであってもよいことが理解されたい。
【０１５２】
当該メモリ１６３０は、読み取り専用メモリとランダムアクセスメモリを含んでもよく、且つプロセッサ１６１０にコマンドとデータを提供する。メモリ１６３０の一部は、さらに、不揮発性ランダムアクセスメモリを含んでもよい。例えば、メモリ１６３０は、さらに、機器タイプの情報を含んでもよい。
【０１５３】
実現プロセスにおいて、プロセッサ１６１０におけるハードウェアの集積論理回路又はソフトウェアの形のコマンドを介して上記方法の各ステップを完了することができる。本願の実施例に開示された位置決め方法を結合したステップは、ハードウェアプロセッサにより実行されて完了すること、又はプロセッサ１６１０におけるハードウェア及びソフトウェアモジュールの組合せの実行により完了することで直接具現化できる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの当分野の成熟した記憶媒体の中に位置してよい。当該記憶媒体がメモリ１６３０に位置し、プロセッサ１６１０はメモリ１６３０での情報を読み取り、そのハードウェアと合わせて上記方法のステップを完了する。ここでは、重複を避けるために詳細な説明を省略する。
【０１５４】
本願の実施例による端末機器１６００は、方法４００を実行するための端末機器及び本願の実施例による端末機器１４００に対応することができ、且つ端末機器１６００における、各ユニット又はモジュールは、それぞれ上記方法４００において端末機器が実行する各動作又は処理プロセスを実行するために用いられ、ここでは、重複を避けるために詳細な説明を省略する。
【０１５５】
図１７は、本願の実施例に係るネットワーク機器１７００の概略構造図である。図１７に示すように、当該ネットワーク機器は、プロセッサ１７１０、送受信機１７２０及びメモリ１７３０を含み、当該プロセッサ１７１０、送受信機１７２０及びメモリ１７３０は内部接続経路を介して互いに通信する。当該メモリ１７３０は、コマンドを格納するために用いられ、当該プロセッサ１７１０は、当該メモリ１７３０に格納されているコマンドを実行するために用いられ、それにより当該送受信機１７２０が信号を受信するか又は信号を送信するように制御する。
【０１５６】
一実施形態において、当該プロセッサ１７１０は、メモリ１７３０に格納されているプログラムコードを呼び出して、図１１に示す方法１１００における、ネットワーク機器の対応する操作を実行することができ、簡潔にするため、ここでは詳細な説明を省略する。
【０１５７】
なお、本願の実施例において、当該プロセッサ１７１０は、中央処理ユニット（Ｃｅｎｔｒａｌ  Ｐｒｏｃｅｓｓｉｎｇ  Ｕｎｉｔ、略称「ＣＰＵ」）であってよく、当該プロセッサ１７１０は、さらに、他の汎用プロセッサ、デジタル信号プロセッサ（ＤＳＰ）、特定用途向け集積回路（ＡＳＩＣ）、既製のプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよく、汎用プロセッサはマイクロプロセッサであってもよく、又は当該プロセッサは、任意の従来のプロセッサなどであってもよいことが理解されたい。
【０１５８】
当該メモリ１７３０は、読み取り専用メモリとランダムアクセスメモリを含んでよく、且つプロセッサ１７１０にコマンドとデータを提供する。メモリ１７３０の一部は、さらに、不揮発性ランダムアクセスメモリを含んでもよい。例えば、メモリ１７３０は、さらに、機器タイプの情報を格納してもよい。
【０１５９】
実現プロセスにおいて、プロセッサ１７１０におけるハードウェアの集積論理回路又はソフトウェアの形のコマンドを介して上記方法の各ステップを完了することができる。本願の実施例に開示された位置決め方法を結合したステップは、ハードウェアプロセッサにより実行されて完了すること、又はプロセッサ１７１０におけるハードウェア及びソフトウェアモジュールの組合せの実行により完了することで直接具現化できる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの当分野の成熟した記憶媒体の中に位置してよい。当該記憶媒体がメモリ１７３０に位置し、プロセッサ１７１０はメモリ１７３０における情報を読み取り、そのハードウェアと合わせて上記方法のステップを完了する。ここでは、重複を避けるために詳細な説明を省略する。
【０１６０】
本願の実施例に係るネットワーク機器１７００は、方法１２００を実行するためのネットワーク機器及び本願の実施例によるネットワーク機器１５００に対応することができ、且つ当該ネットワーク機器１７００における、各ユニット又はモジュールは、それぞれ上記方法１２００においてネットワーク機器が実行する各動作又は処理プロセスを実行するために用いられ、ここでは、重複を避けるために詳細な説明を省略する。
【０１６１】
図１８は、本願の実施例のシステムチップの１つの概略構造図である。図１８のシステムチップ１８００は、入力インタフェース１８０１、出力インタフェース１８０２、少なくとも１つのプロセッサ１８０３及びメモリ１８０４を含み、前記入力インタフェース１８０１、出力インタフェース１８０２、前記プロセッサ１８０３及びメモリ１８０４は内部接続経路を介して互いに接続される。前記プロセッサ１８０３は、前記メモリ１８０４におけるコードを実行するために用いられる。
【０１６２】
一実施形態において、前記コードが実行されるとき、プロセッサ１８０３は、方法の実施例における、端末機器により実行される方法４００を実施することができる。簡潔にするために詳細な説明を省略する。
【０１６３】
一実施形態において、前記コードが実行されるとき、前記プロセッサ１８０３は、方法の実施例における、ネットワーク機器により実行される方法１２００を実施することができる。簡潔にするために詳細な説明を省略する。
【０１６４】
当業者であれば、本明細書に開示されている各実施例に記載の様々な例のユニット及びアルゴリズムステップは、電子ハードウェア、又はコンピュータソフトウェアと電子ハードウェアの組み合わせにより実現され得ることを理解することができる。これらの機能をハードウェアで実行するか又はソフトウェアで実行するかは、技術的解決手段の特定の用途及び設計上の制限条件によって決定される。当業者は、各特定の用途に対して異なる方法で記載の機能を実現することができるが、このような実現は、本願の範囲におけるものと見なすべきである。
【０１６５】
当業者であれば明確に理解することができるように、説明の便宜及び簡潔さのため、上記のシステム、装置及びユニットの具体的な動作プロセスについては前述の方法の実施例の対応するプロセスを参照すればよく、ここでは詳細な説明を省略する。
【０１６６】
なお、本願に係るいくつかの実施例に開示されているシステム、装置及び方法は、その他の形態で実施することができることが理解されたい。例えば、上述した装置の実施例は、例示的なものに過ぎず、例えば、当該ユニットの分割は、論理的な機能分割に過ぎず、実際に実現する際にその他の形態で分割してもよく、例えば、複数のユニット又は部品を組み合わせてもよく、別のシステムに集積してもよく、又は一部の特徴を無視するか実行しなくてもよい。また、表示又は検討される相互結合、直接結合又は通信接続は、一部のインタフェース、装置又はユニットを介して間接的に結合されるもの又は通信接続されるものであってもよく、電気的形態、機械的形態又はその他の形態であってもよい。
【０１６７】
分離されている部品として説明した当該ユニットは、物理的に分離したものであってもなくてもよい。ユニットとして表示された部品は、物理的なユニットであってもなくてもよく、すなわち、同一の場所に設けられても、複数のネットワークユニットに配置されてもよい。実際の必要性に応じて、一部のユニット又は全てのユニットを用いて当該実施例の目的を実現することができる。
【０１６８】
また、本願の各実施例において、各機能ユニットは、１つの処理ユニットに集積されても、各ユニットが物理的に別々の部品として存在しても、２つ以上のユニットが１つのユニットに集積されてもよい。
【０１６９】
当該機能は、ソフトウェアの機能ユニットの形態で実現されて、独立した製品として販売又は使用される場合、コンピュータ可読記憶媒体に格納できる。このような理解に基づいて、本願の技術的解決手段は、本質上、又は従来技術に貢献がある部分若しくは当該技術的解決手段の一部は、ソフトウェア製品の形態で具現化することができ、当該コンピュータソフトウェア製品は記憶媒体に格納され、コンピュータデバイス（パソコン、サーバ、又はネットワーク機器などであってもよい）に本願の各実施例に係るすべての方法又は一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称「ＲＯＭ」）、ランダムアクセスメモリ（Ｒａｎｄｏｍ  Ａｃｃｅｓｓ  Ｍｅｍｏｒｙ、略称「ＲＡＭ」）、磁気ディスク又はコンパクトディスクなど、プロクラムコードを格納できる様々な媒体を含む。
【０１７０】
以上、本願の具体的な実施形態について説明したが、本願の実施例の保護範囲はこれらに限定されず、当業者が、本願に開示された技術的範囲内で想到し得る変更や置換は、いずれも本願の実施例の保護範囲に含まれるべきである。したがって、本願の実施例の保護範囲は、特許請求の範囲に記載の内容に準拠するものとする。
【図１】
0006900501.tif 000002
【図２】
0006900501.tif 000003
【図３】
0006900501.tif 000004
【図４】
0006900501.tif 000005
【図５】
0006900501.tif 000006
【図６】
0006900501.tif 000007
【図７】
0006900501.tif 000008
【図８】
0006900501.tif 000009
【図９】
0006900501.tif 000010
【図１０】
0006900501.tif 000011
【図１１】
0006900501.tif 000012
【図１２】
0006900501.tif 000013
【図１３】
0006900501.tif 000014
【図１４】
0006900501.tif 000015
【図１５】
0006900501.tif 000016
【図１６】
0006900501.tif 000017
【図１７】
0006900501.tif 000018
【図１８】
0006900501.tif 000019